(57)【特許請求の範囲】
【請求項１】
切断可能な複数のネジ保持部を端縁に設けた上カバーと、その上カバーと合致する下カバーとによって、制御素子を設置した基板が覆われているとともに、ネジ保持部の内の少なくとも１つが、ワンウェイタイプのネジによって下カバーに螺着された遊技機用制御装置であって、
前記ネジの螺旋状部分より基端側に、基端側の面が軸に対して垂直で且つ先端側の面が軸に対して緩く傾斜してなるフランジを周状に設ける一方、
前記ネジ保持部を円筒状に形成するとともに、各ネジ保持部の略中央に、ネジ挿通孔が穿設された仕切板を形成し、該仕切板の後面側に、弾性片を後方へと突出するように設けており、
各ネジの先端を、前記仕切板の前面側から前記ネジ挿通孔に挿入し、前記弾性片に係止した状態で保持するとともに、前記下カバーへの螺着時には、保持状態にある前記ネジを前記下カバー側へとねじ込み、前記フランジの垂直面と前記下カバーに設けられた合成樹脂製の係合片とを係合させることを特徴とする遊技機用制御装置。
【発明の詳細な説明】
【０００１】
【発明の属する技術分野】
本発明は、パチンコ機、スロットマシーン等の遊技機に用いる遊技機用制御装置に関するものである。
【０００２】
【従来の技術】
遊技機の一種であるパチンコ機には、制御装置が設けられており、内部の基板上にＲＯＭやＣＰＵ等の制御素子が設置されている。かかる制御素子は、パチンコ機の作動内容を制御するものであるため、パチンコ機が遊技者にとって都合良く作動するように、不正に取り替えられたり不正に改造されたりすることがある。このため、かかる不正を防止するために、従来の遊技機用制御装置の中には、切断可能な複数のネジ保持部を左右両端縁に設けた上カバーと、その上カバーと合致する下カバーとによって、制御素子を設置した基板を覆うとともに、左右のネジ保持部の内の一つずつを、ワンウェイタイプのネジを用いて、ドライバ等では外れないように下カバーに螺着することにより、ネジ保持部を切断しなければ上カバーを取り外すことができないようにして、上カバーの取り外しの痕跡が残るように構成したものが知られている。
【０００３】
【発明が解決しようとする課題】
しかしながら、上記した切断可能なネジ保持部を設けた遊技機用制御装置は、ワンウェイタイプのネジのヘッドに電気ドリル等で孔をあけられると、それらの孔を利用してネジを回転させることが可能となってしまうため、ネジ保持部を切断することなく上カバーを取り外すことができてしまう。このため、制御素子の不正取り替え、不正改造を効果的に防止することができなかった。
【０００４】
本発明の目的は、上記従来の遊技機用制御装置の問題点を解消し、制御素子の不正取り替え、不正改造を効果的に防止することが可能な遊技機用制御装置を提供することにある。
【０００５】
【課題を解決するための手段】
本発明の内、請求項１に記載された発明の構成は、切断可能な複数のネジ保持部を端縁に設けた上カバーと、その上カバーと合致する下カバーとによって、制御素子を設置した基板が覆われているとともに、ネジ保持部の内の少なくとも１つが、ワンウェイタイプのネジによって下カバーに螺着された遊技機用制御装置であって、前記ネジの螺旋状部分より基端側に、基端側の面が軸に対して垂直で且つ先端側の面が軸に対して緩く傾斜してなるフランジを周状に設ける一方、前記ネジ保持部を円筒状に形成するとともに、各ネジ保持部の略中央に、ネジ挿通孔が穿設された仕切板を形成し、該仕切板の後面側に、弾性片を後方へと突出するように設けており、各ネジの先端を、前記仕切板の前面側から前記ネジ挿通孔に挿入し、前記弾性片に係止した状態で保持するとともに、前記下カバーへの螺着時には、保持状態にある前記ネジを前記下カバー側へとねじ込み、前記フランジの垂直面と前記下カバーに設けられた合成樹脂製の係合片とを係合させることにある。
【０００６】
【発明の実施の形態】
以下、本発明の遊技機用制御装置（以下、単に制御装置という）について、図面に基づいて詳細に説明する。
【０００７】
図１〜図３は、制御装置３の正面図、斜視図、分解斜視図であり、図４は、図１におけるＡ−Ａ線断面を示す説明図である（なお、図４（ｂ）は、図４（ａ）の一部を拡大して示したものである）。制御装置３は、ＲＯＭ８やＣＰＵ等の種々の制御素子を搭載した基板４ａ，４ｂ、透明な合成樹脂製の上カバー６および下カバー５、合成樹脂製の固着部材７，７等によって形成されている。
【０００８】
上カバー６は、幅広な箱形に形成されており、左右両サイドに上固着翼２６，２６が設けられている。各上固着翼２６，２６の上端縁には、それぞれ、係止孔１２が穿設されている。さらに、各係止孔１２，１２の下方には、それぞれ、略円筒状の４個のネジ保持部９，９・・が、左右に位置した切断可能な取付片１０，１０によって、各上固着翼２６，２６の前面に一体的に連設されており、後方に突出した状態になっている。なお、図１の如く、各ネジ保持部９の略中央には、仕切板３５が形成されており、仕切板３５の中央には、ネジ挿通孔３６が穿設されている。また、仕切板３５の裏側には、２つの弾性片２８，２８が後方に突出するように設けられている。さらに、各ネジ保持部９，９・・の内部には、ワンウェイタイプのネジ１３が、先端をネジ挿通孔３６に挿入して弾性片２８，２８に係止させた状態で、保持されている。
【０００９】
図６は、ワンウェイタイプのネジ１３を示したものであり、ネジ１３のヘッド１９に突設されたネジ突起２１，２１は、ヘッド１９の外面に対して垂直な面と、ヘッド１９の外面に対して緩やかに傾斜した面とを有している。このため、ネジ突起２１の垂直面にマイナスのドライバを押し当てて右向きに回転させた場合には、ドライバとネジ突起２１，２１の垂直面とが係合し回転するが、ドライバを左向きに回転させた場合には、ヘッド１９上でドライバとネジ突起２１，２１とが係合せず回転しない。また、ネジ１３の螺旋状部分２４よりも基端側には、段差部である凹状溝２３が設けられている。
【００１０】
一方、下カバー５は、上カバー６と同一幅に形成されており、上カバー６と同様に、左右両サイドに凹状の下固着翼２７，２７が連設されている。そして、各下固着翼２７，２７の上端縁には、それぞれ、先端を矢尻状に形成した係止突片１１が突設されている。また、各下固着翼２７，２７には、上カバー６の各ネジ保持部９，９・・と対応する位置に、取付タブ３２，３２・・が立設されており、左右の壁板２９，２９に、係止孔１８，１８・・が穿設されている。さらに、各下固着翼２７，２７には、縦長な固着部材７，７が嵌め込み設置されている。
【００１１】
図５は、固着部材７を示したものであり、固着部材７は、平板部３１の左右両端に、壁板３０，３０が前方に突出するように垂設されている。そして、左右の壁板３０，３０には、それぞれ、４つの支持片１４，１４・・が、内向きに等間隔で（取付タブ３２，３２・・と同じ間隔で）突設されており、左側の壁板３０に突設された支持片１４，１４・・と、右側の壁板３０に突設された支持片１４，１４・・とが、所定の距離を隔てて、対峙した状態になっている。一方、左右一対の支持片１４，１４の間には、２個の係合突起１５，１５が、一定の距離を隔てて突設されており、各係合突起１５，１５の先端に設けられた係合片１６，１６が、互いに向かい合った状態になっている。かかる固着部材７，７は、それぞれ、左右一対の支持片１４，１４と上下一対の係合突起１５，１５とで区画される４つの嵌合領域に、取付タブ３２，３２・・を挿入させ、突起体１７，１７・・を係止孔１８，１８・・に係止させた状態で、各下固着翼２７，２７内に嵌め込み設置されている。
【００１２】
制御装置３は、図３の如く、下カバー５に設けられたネジ止めタブ３３，３３・・を利用して基板４ａ，４ｂを下カバー５の内面に螺着した状態で、上カバー６の各上固着翼２６，２６を下カバー５の各下固着翼２７，２７に重ね合わせ、各係止突片１１，１１を各係止孔１２，１２に係止させた状態で、ワンウェイタイプのネジ１３，１３によって、左側の最上方のネジ保持部９（「１」を付したネジ保持部９）を左側の最上方の取付タブ３２に螺着し、右側の最下方のネジ保持部９（「１」を付したネジ保持部９）を右側の最下方の取付タブ３２に螺着することによって、組み立てられている。そして、ネジ保持部９と取付タブ３２との螺合部分においては、図４（ｂ）の如く、ネジ１３の凹状溝２３に、固着部材７の係合片１６，１６が十分に係合した状態になっている。なお、下カバー５が構成樹脂によって形成されているため、係合突起１５，１５が高い弾性を有しているので、ネジ１３によりネジ保持部９と取付タブ３２とを螺着する場合には、ネジ１３をねじ込むだけで、係合片１６，１６がネジ１３の凹状溝２３に係合する。また、上カバー６の左右の端縁（各上固着翼２６，２６の外側の端縁）には、被覆片３７，３７が後方へ突出するように設けられており、上カバー６と下カバー５とを合着した場合には、それらの被覆片３７，３７が、下カバー５の端縁（各下固着翼２７，２７の外側の壁板２９，２９）の係止孔１８，１８・・を覆い隠すようになっている。
【００１３】
上記の如く構成された制御装置３は、パチンコ機の裏面側の機構板等に設置された状態で使用される。そして、搭載されたＲＯＭ８やＣＰＵ等の種々の制御素子によって、パチンコ機の作動内容を制御する。
【００１４】
また、制御装置３は、上カバー６のネジ保持部９，９と下カバー５の取付タブ３２，３２とが、ワンウェイタイプのネジ１３，１３によって螺着されているため、ネジ１３を螺着時と反対方向（左回り）に回転させても、ネジ保持部９，９と取付タブ３２，３２との螺着状態が解除されない。それゆえ、上カバー６を取り外す場合には、取付タブ３２，３２と螺着したネジ保持部９，９の前方に設けられた２つの取付片１０，１０・・を、ニッパ等の工具で切断し、かかるネジ保持部９，９を上カバー６から切り離すことによって、上カバー６と下カバー５とを分離しなければならない。また、再度  上カバー６を下カバー５に合着させる場合には、左側の最上方のネジ保持部９および右側の最下方のネジ保持部９以外のネジ保持部９，９（すなわち、未だ取付タブ３２と螺着していない同じ番号を付したネジ保持部９，９同士）を、それぞれ、ネジ１３，１３により同位置の取付タブ３２，３２と螺着すれば良い。それゆえ、一旦、上カバー６と下カバー５とを分離した後でも、再度、上カバー６を下カバー５に合着させることができ、かかる上カバー６、下カバー５の分離、合着を４回繰り返すことができる。
【００１５】
さらに、ネジ保持部９，９と取付タブ３２，３２との螺着部分においては、各ネジ１３，１３の凹状溝２３に、固着部材７の係合片１６，１６が係合した状態になっているので、ヘッド１９に電気ドリル等で孔をあけて無理矢理にネジ１３を回転させても、固着部材７の係合片１６，１６が各ネジ１３の凹状溝２３と係合した状態を保つので、ネジ１３が外れにくい上、外れる場合には、係合片１６，１６が欠損して、必ずその痕跡が残る。
【００１６】
制御装置３は、上記の如く、上カバー６を下カバー５と分離するためには、取付片１０，１０を切断することにより取付タブ３２，３２と螺着されたネジ保持部９，９を上カバー６から切り離さなければならないため、上カバー６が取り外された場合には、必ずその痕跡が残る。それゆえ、上カバー６の開閉の有無を容易に把握することができる。それにも拘わらず、各取付片１０，１０が容易に切断可能な構造を有しているため、それらの取付片１０，１０をニッパ等の工具で切断することによって、上カバー６を容易に取り外すことができ、基板８上に設置された制御素子の内容を簡単にチェックすることができる。
【００１７】
その上、制御装置３は、ネジ１３，１３の螺旋状部分２４より基端側に段差部が周状に設けられており、下カバー５に設けられた係合片１６，１６が、段差部と係合した状態になっているので、ネジ１３，１３のヘッド１９に電気ドリル等で孔をあけて無理矢理にネジ１３を回転させてもネジ１３が外れにくい上、外れる場合には、係合片１６，１６が欠損し、必ずその痕跡が残るため、上カバー６が取付片１０，１０を切断することなく不正に取り外される事態を効果的に防止することができるとともに、万が一不正に取り外された場合でも、その事態を速やかに把握することができる。したがって、制御装置３によれば、ＲＯＭ８やＣＰＵ等の制御素子の不正取り替え、不正改造を効果的に防止することができる。
【００１８】
また、制御装置３は、段差部が周状の凹状溝２３であり、下カバー５に設けられた係合片１６，１６が、凹状溝２３と強固に係合した状態になっているため、無理矢理にネジ１３を回転させてもネジ１３がきわめて外れにくいので、上カバー６が取付片１０，１０を切断することなく不正に取り外される事態を、より効果的に防止することができる。
【００１９】
なお、本発明の制御装置は、上記実施形態の態様に何ら限定されるものではなく、基板、上カバー、下カバー、固着部材、ワンウェイタイプのネジの形状、構造等の構成を本発明の趣旨を逸脱しない範囲内で適宜変更することができる。
【００２０】
たとえば、上カバーの各上固着翼に設けるネジ保持部の個数や、下カバーの左右の各下固着翼に設ける取付タブの個数は、４個に限定されず、２個や３個でも良いし、５個以上でも良い。また、各上固着翼とネジ保持部とを連結する取付片の個数も、２個に限定されず、１個でも良いし、３個以上でも良い。さらに、上固着翼や下固着翼の設置位置は、上下カバーの左右両端縁に限定されず、上下カバーの上下両端縁でも良い。加えて、固着部材は、下カバーと別個のものに限定されず、下カバーに一体的に設けられたものでも良い。なお、上記実施形態の如く固着部材を下カバーと別個にした場合には、損傷した場合に固着部材のみ取り替えることができる、というメリットがある。また、固着部材を下カバーと別個にする場合には、固着部材を下カバーに螺着したり、接着したりすることも可能である。さらに、固着部材に設ける嵌合領域の構造も、上記実施形態の構造に何ら限定されない。
【００２１】
また、ワンウェイタイプのネジは、上記実施形態の如き先端が平坦なネジに限定されず、先端の尖った木ネジ等の他の形状を有するものでも良い。加えて、ヘッドに２個のネジ突起が設けられたものに限定されず、４個のネジ突起が設けられたプラスタイプのドライバで回転可能なものでも良い。さらに、ネジは、上記実施形態の如く、段差部として凹状溝を設けたものに限定されず、別の形状の段差部を設けたものでも良い。図７は、かかる変更例を示したものであり、ネジ２９には、段差部としてフランジ２２が設けられており、フランジ２２の基端側の面が軸に対して垂直になっており、先端側の面が軸に対して緩く傾斜している。かかる形状を有するネジ３４を使用した場合でも、取付タブ３２との螺着時に、下カバー５に設けた係合片１６，１６がフランジ２２の垂直面と係合するため、無理矢理に回転させてもきわめて外れにくいので、制御装置は、上カバー６が取付片１０，１０を切断することなく不正に取り外される事態をより効果的に防止することができるものとなる。一方、ネジ保持部は、取付タブと螺合していないネジを保持できる構造に変更することも可能である。なお、上記実施形態においてはパチンコ機に使用される制御装置について説明したが、本発明の制御装置が使用される遊技機は、スロットマシーンやテレビゲーム等のパチンコ機以外の遊技機でも良い。
【００２２】
【発明の効果】
請求項１に記載された制御装置は、ネジの螺旋状部分より基端側にフランジが周状に設けられており、下カバーに設けられた係合片が、フランジと係合した状態になっているため、ヘッドに電気ドリル等で孔をあけて無理矢理にネジを回転させてもネジが外れにくい上、外れる場合には、係合片が欠損し、必ずその痕跡が残るため、上カバーが取付片を切断することなく不正に取り外される事態を効果的に防止することができるとともに、万が一不正に取り外された場合でも、その事態を速やかに把握することができる。したがって、請求項１に記載された発明の制御装置によれば、制御素子の不正取り替え、不正改造を効果的に防止することができる。
また、フランジを、基端側の面が軸に対して垂直で且つ先端側の面が軸に対して緩く傾斜するように形成し、係合片とフランジの垂直面とを係合させる構成としたため、無理矢理にネジを回転させてもネジがきわめて外れにくいので、上カバーが取付片を切断することなく不正に取り外される事態をより効果的に防止することができ、制御素子の不正取り替え、不正改造を一層効果的に防止することができる。
さらに、係合片が弾性を有しているので、各ネジ保持部の前面側に保持されたネジをねじ込むだけで、係合片とフランジの垂直面とを係合させた状態で上カバーと下カバーとを螺着することができる。
【図面の簡単な説明】
【図１】制御装置の正面図である。
【図２】制御装置の斜視図である。
【図３】制御装置の分解斜視図である。
【図４】図１におけるＡ−Ａ線断面を示す説明図である。
【図５】固着部材の斜視図である。
【図６】ネジの斜視図である。
【図７】ネジの斜視図である。
【符号の説明】
３・・制御装置、４ａ，４ｂ・・基板、５・・下カバー、６・・上カバー、７・・固着部材、８・・ＲＯＭ、９・・ネジ保持部、１０・・取付片、１１・・係止突片、１２・・係止孔、１３・・ネジ、１４・・支持片、１５・・係合突起、１６・・係合片、１７・・突起体、１８・・係止孔、１９・・ヘッド、２１・・ネジ突起、２２・・フランジ、２３・・凹状溝、２４・・螺旋状部分、２５・・ネジ孔、２６・・上固着翼、２７・・下固着翼、２８・・弾性片、２９，３０・・壁板、３１・・平板部、３２・・取付タブ、３３・・ネジ止めタブ、３４・・ネジ、３５・・仕切板、３６・・ネジ挿通孔、３７・・被覆片。
【図１】
0003706957.tif 000002
【図２】
0003706957.tif 000003
【図３】
0003706957.tif 000004
【図４】
0003706957.tif 000005
【図５】
0003706957.tif 000006
【図６】
0003706957.tif 000007
【図７】
0003706957.tif 000008